(57)【要約】【課題】避雷装置内に空気が残留する可能性を排除し、シリコーンゴムと避雷素子および絶縁棒との接着性を向上させて防爆性能の向上を図ること。【解決手段】積層した避雷素子２の両端未金属６ａ、６ｂ側に、避雷素子２より径の大きな隙間調整金具７ａおよび７ｂを配置する。隙間調整金具である金属板７ａ、７ｂは避雷素子２を、取り囲むように配置された絶縁棒４と接触する径を持ち、モールド時に避雷素子２と絶縁棒４の間８に、シリコーンゴム３が容易に入り込む間隔を保持する。これにより、避雷素子２と絶縁棒４間の空気の残留を防ぎ、避雷装置１の防爆性能の低下を防止することができる。なお、上記隙間調整金具の代わりに、絶縁リングを用い、このリングを避雷素子の周囲に接着させたり、避雷素子２と絶縁棒４の間８に、少なくとも１個以上の絶縁材料片を挿入するように構成してもよい。【選択図】    図１
2010245138.tif 000002
【特許請求の範囲】
【請求項１】
積層した避雷素子の周りに絶縁棒を配置すると共に、ゴム製外皮と避雷素子とを直接接触させる構造をもつ避雷装置において、
上記絶縁棒の内側に、避雷素子と絶縁棒の間隔を一定に維持するための手段を設け、モールドの際、ゴム材料が容易に避雷素子と絶縁棒間に侵入するように構成した
ことを特徴とする避雷装置。
【請求項２】
上記避雷素子と絶縁棒の間隔を一定に維持するための手段は、
積層した避雷素子の両端の端未金属側に配置された、絶縁棒４と接触する径を持ち避雷素子より径が大きい金属製の隙間調整部材である
ことを特徴とする請求項１に記載の避雷装置。
【請求項３】
上記避雷素子と絶縁棒の間隔を一定に維持するための手段は、避雷素子と絶縁棒の間に設けられたスペーサ部材である
ことを特徴とする請求項１に記載の防爆性能の低下を防いだ避雷装置。
【発明の詳細な説明】
【技術分野】
【０００１】
本発明は、積層した避雷素子の周りに絶縁棒を配置すると共に、ゴム製外被と避雷素子を直接接触させる構造をもつ避雷装置に関し、特に、防爆性能の低下を防止した避雷装置に関するものである。
【背景技術】
【０００２】
通常、絶縁筒内に避雷素子を積層し、絶縁筒の外側にシリコーンゴム等のゴムで外被を成形する避雷装置には、避雷素子の容量以上の雷電流が通過した際、避雷素子が破壊され熱を発生し、内部圧力の増大によって避雷装置が爆発飛散するのを防ぐ、放圧機構が取り付けられている。
一方、特許文献１や特許文献２に示される、避雷素子と直接接するようにシリコーンゴム製外被をモールド成形した構造を持つ避雷装置では、シリコーンゴム製外被が破れることで放圧動作が行われるため、放圧機構を特に設ける必要はない利点がある。しかし、このタイプの、避雷装置では、装置内の残留空気の排除が避雷装置の防爆性能において非常に重要である。特許文献１には、避雷素子が電気的に接触した積層状態を保持するために設けるスプリング内部に空気が残留する可能性を排除するための工夫が示されている。
【先行技術文献】
【特許文献】
【０００３】
【特許文献１】特開平８−１７２７５号公報
【特許文献２】特開２００２−１５１３０９号公報
【発明の概要】
【発明が解決しようとする課題】
【０００４】
前記特許文献１、２に示されたタイプの避雷装置においては、避雷装置の曲げあるいは引張に対する耐力を保持するために、避雷素子の周囲に絶縁棒が配置されており、この絶縁棒と避雷素子との間の隙間にも空気が残留する可能性がある。
この隙間の残留空気は少量であるが、放圧動作時の熱による膨張で、シリコーンゴム製外被の塊を爆発飛散させることがあるため、この部分の空気の排除も重要である。
この隙間にある空気を排除するためには、シリコーンゴムをモールド成形するときに、成形圧力に注意しながら、この隙間にシリコーンゴムを確りと充填しなければならない。
絶縁棒と避雷素子との隙間が広ければシリコーンゴムの充填が容易であるが、避雷装置の小型化を図るため前記隙間を狭くすると、粘性のあるシリコーンゴムの充填の難しさは顕著になる。しかも、焼成によって製造される避雷素子はその外形寸法が大きく変動するため、設計上、絶縁棒と避雷素子との間の隙間を広くしなければならなかった。
本発明は、上記従来技術の問題点を解決するためになされたものであって、本発明の目的は避雷装置内に空気が残留する可能性をより一層排除し、シリコーンゴムと避雷素子および絶縁棒との接着性を向上させて、避雷装置の防爆性能の向上を図ることである。
【課題を解決するための手段】
【０００５】
上記課題を達成するため、本発明においては、避雷素子と絶縁棒の間の間隔を一定に維持する手段を設け、モールドの際、ゴム材料が容易に避雷素子と絶縁棒間に侵入するように構成した。
上記避雷素子と絶縁棒の間の間隔を一定に維持する手段としては、具体的には例えば以下の手段を用いることができる。
（１）避雷素子より径が大きく、避雷素子を取り囲むように配置された絶縁棒と接触する径を持つ隙間調整金具を、積層した避雷素子の両端未金属側に配置する。
（２）避雷素子と絶縁棒の間にスペーサ部材を配置する。たとえば、積層した避雷素子の周囲の少なくとも１箇所以上に、絶縁材料で構成された絶縁リングを配置したり、避雷素子と絶縁棒の間に、少なくとも１個以上の絶縁材料片を挿入する。
このように、避雷素子と絶縁棒の間隔を一定に維持する手段を設けることで、モールド時にシリコーンゴム等のゴム材料の避雷素子・絶縁棒間への侵入が容易となり、空気の残留を防止することができる。
【発明の効果】
【０００６】
本発明においては、避雷素子と絶縁棒の間を一定に維持する手段を設けたので、絶縁棒と避雷素子の間隔を狭く設計しても、避雷素子の製造寸法の変動にかかわらず避雷素子と絶縁棒の間に一定の隙間を維持することが可能となり、モールド時にシリコーンゴム等のゴム材料のの避雷素子・絶縁棒間への侵入が容易となり、ゴム材料とと避雷素子および絶縁棒との接着性が向上する。また、空気の残留を防止することができ、避雷装置の防爆性能を向上させることができる。
【図面の簡単な説明】
【０００７】
【図１】本発明に係る避雷装置の第１の実施例の構成を示す図である。
【図２】本発明に係る避雷装置の第２の実施例の構成を示す図である。
【図３】本発明に係る避雷装置の第３の実施例の構成を示す図である。
【発明を実施するための形態】
【０００８】
図１に、本発明の第１の実施例の避雷装置の構成を示す。
同図の（ａ）は本実施例の避雷装置を長手方向の中心軸を通る平面で切った断面図を示し、（ｂ）は同図（ａ）のＡ−Ａ断面図である。
同図において、１は避雷装置であり、端未金属６ａ、６ｂの間に、スプリング５と積層した避雷素子２が設けられ、その周りに絶縁棒４が配置され、これら全体がシリコーンゴム３でモールドされている。
上記構成の避雷装置において、本実施例では、積層した避雷素子２の両端に設けられた端未金属６ａ、６ｂ側に、避雷素子と絶縁棒の間を一定に維持する手段として機能する隙間調整部材である避雷素子２より径の大きな金属板７ａおよび７ｂを配置している。
隙間調整部材である金属板７ａ、７ｂは避雷素子２を取り囲むように配置された絶縁棒４と接触する径を持ち、モールド時に避雷素子２と絶縁棒４の間８に、シリコーンゴム３が容易に入り込む間隔を保持する。これにより、避雷素子２と絶縁棒４間の空気の残留を防ぎ、避雷装置１の防爆性能の低下を防止する。
なお、あらかじめ端末金属６ａ、６ｂの径を大きく作成して絶縁棒４を設置することも考えられるが、小型化、軽量化を目的とする避雷装置であるため、必要最低限の裕度により設計、製造を行う必要があり端末金属６ａ、６ｂの径を大きくするのは好ましくない。
【０００９】
図２および図３に本発明のその他の実施例を示す。
図２は、本発明の第２の実施例を示す図であり、同図の（ａ）は本実施例の避雷装置の断面図を示し、（ｂ）は同図（ａ）のＡ−Ａ断面図である。
同図において、前記したように端未金属６ａ、６ｂの間に、スプリング５と積層した避雷素子２が設けられ、その周りに絶縁棒４が配置され、これら全体がシリコーンゴム３でモールドされている。
本実施例では、積層した避雷素子２の少なくとも１箇所以上に、シリコーンゴム等の絶縁材料で構成された絶縁リング９を、避雷素子の周囲に接着させている。この実施例の絶縁リング9 は、避雷素子２の全周を囲んでいる。これにより、避雷素子２と絶縁棒４の間８の間隔を保持し、避雷素子２と絶縁棒４間の空気の残留を防ぎ、避雷装置１の防爆性能の低下を防止する。
なお、絶縁リング９はシリコーンゴム３と同材質のものである必要はない。ただし、金属で絶縁リング９を作成し接着させた場合、従来必要である避雷素子沿面の漏れ距離が短くなり、製品性能の低下が懸念されるため、絶縁材料での対応が必須である。
【００１０】
図３は、本発明の第３の実施例を示す図であり、同図の（ａ）は本実施例の避雷装置の断面図を示し、（ｂ）は同図（ａ）のＡ−Ａ断面図である。
同図において、前記したように端未金属６ａ、６ｂの間に、スプリング５と積層した避雷素子２が設けられ、その周りに絶縁棒４が配置され、これら全体がシリコーンゴム３でモールドされている。
本実施例では、避雷素子２と絶縁棒４の間８に、少なくとも１個以上の絶縁材料片１０を挿入することで、避雷素子と絶縁棒間８の間隔を保持している。この実施例では、絶縁材料片１０がシリコーンゴムで形成されている。また、絶縁材料片１０が個々の絶縁棒４ごとに配置されている。また、絶縁材料片１０が各絶縁棒４の長さ方向に２〜３個づつ配置されている。この実施例では、絶縁材料片１０により避雷素子２と絶縁棒４間の空気の残留を防ぎ、避雷装置１の防爆性能の低下を防止する。なお、絶縁材料片１０はシリコーンゴム３と同材質のものである必要はない。
【符号の説明】
【００１１】
１      避雷装置
２      避雷素子
３      シリコーンゴム
４      絶縁棒
５      スプリング
６ａ、６ｂ  端末金属
７ａ、７ｂ  金属板
８      避雷素子と絶縁棒の間
９      絶縁リング
１０    絶縁材料片
【図１】
2010245138.tif 000003
【図２】
2010245138.tif 000004
【図３】
2010245138.tif 000005